(57)【要約】【課題】コイル端子が回転してしまうのを抑制することのできるコイルブロックおよび当該コイルブロックを備える電磁リレーを得る。【解決手段】コイルブロック３０は、コイル３１が巻回されるコイルボビン３２と、コイル３１が接続され、コイルボビン３２のコイル端子取付部３２ａに取り付けられるコイル端子３１ａと、を備えている。そして、コイル端子３１ａに屈曲部３１ｂを形成し、コイル端子取付部３２ａに屈曲部３１ｂを受け入れる受入部３２ｂを形成した。【選択図】図５
2014130689.tif 000002
【特許請求の範囲】
【請求項１】
コイルが巻回されるコイルボビンと、前記コイルが接続され、前記コイルボビンのコイル端子取付部に取り付けられるコイル端子と、を備えるコイルブロックであって、
前記コイル端子には屈曲部が形成されており、
前記コイル端子取付部には、前記屈曲部を受け入れる受入部が形成されていることを特徴とするコイルブロック。
【請求項２】
前記コイル端子取付部が前記コイル端子が挿入される挿通孔であり、前記受入部には、前記屈曲部を受け入れた状態で隙間が形成されていることを特徴とする請求項１に記載のコイルブロック。
【請求項３】
請求項１または請求項２に記載のコイルブロックを備えることを特徴とする電磁リレー。
【発明の詳細な説明】
【技術分野】
【０００１】
本発明は、コイルブロックおよび当該コイルブロックを備える電磁リレーに関する。
【背景技術】
【０００２】
従来、コイルブロックとして、コイルが巻回されたスプールと、コイルを絡げるコイル端子と、を備えるものが知られている（例えば、特許文献１参照）。
【０００３】
この特許文献１では、スプールに形成されたコイル端子用保持部にコイル端子を圧入することで、コイル端子をスプールに取り付けている。
【先行技術文献】
【特許文献】
【０００４】
【特許文献１】特開２００５−２９３９５２号公報
【発明の概要】
【発明が解決しようとする課題】
【０００５】
しかしながら、上記従来の技術では、円柱状のコイル端子をコイル端子用保持部に圧入することで、コイル端子をスプールに取り付けている。そのため、振動等により、スプールに取り付けたコイル端子が回転してしまうおそれがある。このように、コイル端子が回転すると、コイル端子の圧入強度が低下してコイル端子がスプールから抜け落ちてしまうおそれもある。
【０００６】
そこで、本発明は、コイル端子が回転してしまうのを抑制することのできるコイルブロックおよび当該コイルブロックを備える電磁リレーを得ることを目的とする。
【課題を解決するための手段】
【０００７】
本発明の第１の特徴は、コイルが巻回されるコイルボビンと、前記コイルが接続され、前記コイルボビンのコイル端子取付部に取り付けられるコイル端子と、を備えるコイルブロックであって、前記コイル端子には屈曲部が形成されており、前記コイル端子取付部には、前記屈曲部を受け入れる受入部が形成されていることを要旨とする。
【０００８】
本発明の第２の特徴は、前記コイル端子取付部が前記コイル端子が挿入される挿通孔であり、前記受入部には、前記屈曲部を受け入れた状態で隙間が形成されていることを要旨とする。
【０００９】
本発明の第３の特徴は、前記コイルブロックを備える電磁リレーであることを要旨とする。
【発明の効果】
【００１０】
本発明によれば、コイル端子に屈曲部を形成し、コイルボビンのコイル端子取付部に屈曲部を受け入れる受入部を形成している。そのため、コイル端子取付部の受入部がコイル端子の屈曲部を受け入れるようにコイル端子を取り付けることが可能となり、コイル端子がコイルボビンに対して相対的に回転してしまうのを抑制することができる。
【図面の簡単な説明】
【００１１】
【図１】本発明の一実施形態にかかる電磁リレーの断面図である。
【図２】図１に示す電磁リレーのケースを分離した状態を示す斜視図である。
【図３】本発明の一実施形態にかかる電磁リレーの端子を示す斜視図である。
【図４】本発明の一実施形態にかかる電磁リレーの端子の取付状態を示す裏面図である。
【図５】本発明の一実施形態にかかる電磁リレーの端子の取付状態を示す断面図である。
【発明を実施するための形態】
【００１２】
以下、本発明の実施形態について図面を参照しつつ詳細に説明する。
【００１３】
本実施形態にかかる電磁リレー１は、ベース２、電磁石ブロック３、接極子４、カード５、接点部６およびケース７を備えている。
【００１４】
ベース２は、絶縁材料である合成樹脂によって形成されており、全体の平面形状が、長手方向と短手方向とを有する所定厚みをもった略長方形状をしている。
【００１５】
電磁石ブロック３は、ベース２の長手方向の一端部上に搭載されており、コイルブロック３０と、鉄芯３３と、この鉄芯３３の下端部に接続される略Ｌ字状の継鉄３４とを備えている。また、継鉄３４のベース２から立設される部分によって永久磁石３５が挟まれている。
【００１６】
コイルブロック３０は、コイル３１を巻回したコイルボビン３２と、一端にコイル３１が絡げられ（接続され）、コイルボビン３２の挿通孔（コイル端子取付部）３２ａに取り付けられるコイル端子３１ａと、を備えている。本実施形態では、コイル端子３１ａは、ベース２の短手方向に一対設けられている。また、コイルボビン３２は、外周部にコイル３１が巻回され、内部に鉄芯３３が挿通される筒状の胴部（図示せず）と、胴部の両端から水平方向に延設されたフランジ部３２ｅとで形成されている。そして、挿通孔（コイル端子取付部）３２ａが下側のフランジ部３２ｅに形成されている。本実施形態では、挿通孔（コイル端子取付部）３２ａが形成されたフランジ部３２ｅはベース２に一体に形成されており、コイル端子３１ａは、ベース２のフランジ部３２ｅに相当する部位に取り付けられている。すなわち、一対のコイル端子３１ａは、それぞれベース２から下方に突出するようにコイルボビン３２に取り付けられている。なお、フランジ部３２ｅをベース２とは別体に形成することも可能である。
【００１７】
接極子４は、軟磁性材料によって形成されており、屈曲部４ａによって略Ｌ字状に形成されている。そして接極子４の一端部側がボビン３２の上面に対向する水平部４ｂとなっており、他端部側が継鉄３４のボビン３２とは反対側の側面に沿った垂直部４ｃとなっている。そして、接極子４は、屈曲部４ａが継鉄３４の上端に支持された状態で、水平部４ｂの先端部が鉄芯３３の上端面に適宜間隔をもって対向配置される。こうして、垂直部４ｃが図１の矢印ａで示す方向に揺動するようにしている。
【００１８】
例えば、接極子４が図１の状態のときに、コイル３１に所定方向の電流を流して電磁石ブロック３を励磁すると、水平部４ｂが鉄芯３３に吸引され、接極子４の垂直部４ｃは屈曲部４ａを支点として図１の反時計回り方向に回動して継鉄３４から離れる方向に移動する。
【００１９】
かかる状態で、コイル３１への通電を停止すると、永久磁石３５の吸引力によって、接極子４は、その状態（接極子４の垂直部４ｃが屈曲部４ａを支点として図１の反時計回り方向に回動して継鉄３４から離れる方向に移動した状態）で保持される。
【００２０】
また、接極子４が図１の反時計回り方向に回動した状態で、コイル３１に反対方向の電流を流して電磁石ブロック３を励磁すると、水平部４ｂが鉄芯３３から離れ、接極子４の垂直部４ｃは屈曲部４ａを支点として図１の時計回り方向に回動して継鉄３４に近づく方向に移動する。
【００２１】
かかる状態で、コイル３１への通電を停止すると、永久磁石３５の吸引力によって、接極子４は、その状態（図１に示す状態）で保持される。
【００２２】
なお、接極子４にはヒンジばね４１が設けられており、このヒンジばね４１によって接極子４が往復移動する際に位置ずれしてしまうのを抑制している。
【００２３】
このように、本実施形態にかかる電磁リレー１は、コイル３１への通電方向を変えることにより接極子４が往復移動するいわゆるラッチタイプのものである。
【００２４】
カード５は、接極子４の垂直部４ｃと、ベース２の長手方向の他端部に配置される接点部６との間に位置しており、下端部に設けた回転支軸５１を介してベース２に揺動自在に取り付けられている。このときの揺動方向は、図１の矢印ｂで示すように、ベース２の長手方向となっている。
【００２５】
カード５が接極子４の垂直部４ｃに対向する一側５ａには、上下方向略中間部に接極子４の垂直部４ｃに当接する第１突起部５２が設けられている。また、カード５が接点部６に対向する他側５ｂには、第１突起部５２よりも上方に位置する第２突起部５３が設けられている。
【００２６】
そして、往復移動する接極子４の垂直部４ｃが、電磁石ブロック３の励磁（コイル３１への所定方向の通電）に伴って継鉄３４から離れる方向に移動すると、この移動力が第１突起部５２を介してカード５に入力されてカード５が接点部６方向に揺動する。
【００２７】
接点部６は、固定接点６１ａを有する固定端子６１と、可動接点６２ａを有する可動ばね６２とを有している。固定端子６１および可動ばね６２は、可動ばね６２がカード５側、固定端子６１がカード５から離れる側に位置しており、ベース２の長手方向に対峙し、それぞれの下端部がベース２に支持された状態でこのベース２から立設されている。そして、固定端子６１および可動ばね６２のそれぞれの端子６１ｂ、６２ｂは、ベース２から下方に突設されている。
【００２８】
本実施形態では、接点部６は、水平部４ｂが鉄芯３３に吸引されていない状態では、固定接点６１ａと可動接点６２ａとが離間しており、水平部４ｂが鉄芯３３に吸引されるように電磁石ブロック３を励磁させると、固定接点６１ａと可動接点６２ａとが接触する接点として構成されている。
【００２９】
すなわち、可動ばね６２は、水平部４ｂが鉄芯３３に吸引されていない状態では、カード５の第２突起部５３に当接または近接している。そして、カード５が電磁石ブロック３の励磁（コイル３１への所定方向の通電）に伴って揺動すると、第２突起部５３で可動ばね６２を押圧して可動ばね６２が撓む。そして、可動ばね６２が撓むことで、可動接点６２ａが固定接点６１ａに接触して接点部６がオン状態となる。
【００３０】
一方、電磁石ブロック３の励磁（コイル３１への所定方向とは反対方向の通電）に伴って接極子４の垂直部４ｃが、図１の時計回り方向に移動すると、カード５は可動ばね６２のばね力によって接極子４方向に揺動する。これにより、可動接点６２ａが固定接点６１ａから離反して接点部６がオフ状態となる。
【００３１】
このように、接点部６は、カード５の揺動に応じてオン状態とオフ状態とが切り換えられるものである。
【００３２】
なお、接点部６を水平部４ｂが鉄芯３３に吸引されていない状態で接触する構造としてもよいし、水平部４ｂが鉄芯３３に吸引されていない状態で接触する接点と離間する接点の両方を備えた接点構造としてもよい。
【００３３】
また、電磁石ブロック３が搭載されるベース２に接点部６の下端部が支持されているが、本実施形態では、ベース２を絶縁性材料で形成しているため、コイル３１と接点部６との間の電気的絶縁性を向上させることができる。
【００３４】
ケース７は、図２に示すように、全体的に下方に開放した直方体状の筺体として形成されており、下端開放口７ａをベース２の外周に形成された段差部２ａに略密接して嵌合させるようになっている。また、ケース７内には、接極子４の垂直部４ｃとカード５との間に位置する仕切り壁７１が設けられている。そして、仕切り壁７１には、第１突起部５２を貫通させる切欠部７１ａが形成されており、この仕切り壁７１は門型に形成されている。
【００３５】
また、ケース７の短手方向両側の側壁下端部には、長手方向の略中央部に位置する係合穴７２が形成されており、この係合穴７２をベース２の段差部２ａから突設した係合突部２１に係止することでケース７の抜止めがなされる。
【００３６】
また、カード５の回転支軸５１を揺動自在に取り付けるベース２には、回転支軸５１をベース２の内部で回転自在に受容する軸受け部２２が形成されている。なお、本実施形態では、軸受け部２２は、中心軸方向の外側が開口しているが、軸受け部２２の中心軸方向の外側が閉じられていてもよい。
【００３７】
また、軸受け部２２は、ベース２の表面（図１の上面）側に開口して、回転支軸５１をベース表面の面直上方から取り込むようになっている。すなわち、本実施形態では、ベース２の表面（図１の上面）側が、カード５の挿入方向手前側となっている。
【００３８】
したがって、本実施形態では、カード５をベース２に取り付ける際には、回転支軸５１を軸受け部２２に向かって上方から押し込むようになっている。このように回転支軸５１を軸受け部２２に向かって上方から押し込むと、回転支軸５１が軸受け部２２に嵌合することになる。そして、カード５が矢印ｂ方向に揺動自在にベース２に取り付けられることとなる。
【００３９】
なお、符号２５は、可動ばね６２の下端部を挿入させるための支持凹部、符号２６は、固定端子６１の下端部を挿入させるための支持凹部であり、符号２７は、ケース７の仕切り壁７１の切欠部７１ａの両側部を嵌合するための支持溝である。
【００４０】
ここで、本実施形態では、コイル端子３１ａがコイルボビン３２に対して相対的に回転してしまうのを抑制できるようにしている。
【００４１】
具体的には、図３に示すように、コイル端子３１ａに屈曲部３１ｂを形成している。本実施形態では、コイル端子３１ａは、略直角に折曲された屈曲部３１ｂを有するクランク状をしている。そして、コイル端子３１ａの一端側（挿入側）には、圧入突起３１ｃが形成されている。
【００４２】
また、図５に示すように、コイルボビン３２の挿通孔（コイル端子取付部）３２ａに、屈曲部３１ｂを受け入れる受入部３２ｂを形成している。本実施形態では、挿通孔（コイル端子取付部）３２ａは、屈曲部３１ｂを受け入れる受入部３２ｂと、コイル端子３１ａの圧入突起３１ｃが形成された一端側（挿入側）が挿入される圧入部３２ｃと、で構成されている。
【００４３】
圧入部３２ｃは、コイル端子３１ａの径とほぼ同程度の径の挿通孔として形成されている。一方、受入部３２ｂは、長孔状の挿通孔として形成されており、縦幅（長手方向幅）が屈曲部３１ｂの幅とほぼ同程度の幅で、横幅（短手方向幅）がコイル端子３１ａの径とほぼ同程度の幅となっている。
【００４４】
そして、コイル端子３１ａの圧入突起３１ｃが形成されている側を、挿通孔（コイル端子取付部）３２ａの受入部３２ｂ側から圧入部３２ｃまで挿入して、圧入突起３１ｃが形成されている側を圧入部３２ｃに圧入固定している。このとき、屈曲部３１ｂが受入部３２ｂに受け入れられるまで、コイル端子３１ａの圧入突起３１ｃが形成されている側を、圧入部３２ｃに挿入している。本実施形態では、屈曲部３１ｂが受入部３２ｂの内底面３２ｄに接触するまで、コイル端子３１ａの圧入突起３１ｃが形成されている側を、圧入部３２ｃに挿入している（図５参照）。このとき、屈曲部３１ｂを受け入れた状態で隙間Ｓが形成されるように、受入部３２ｂを形成している。この隙間Ｓには、接着剤８０が導入されており、接着剤８０によって、屈曲部３１ｂを受入部３２ｂに固定している。
【００４５】
このように、コイル端子３１ａをコイルボビン３２の挿通孔（コイル端子取付部）３２ａに圧入固定することで、コイル端子３１ａがコイルボビン３２に対して相対的に回転してしまうのを抑制できるようにしている。
【００４６】
次に、かかる構成の電磁リレー１の動作を説明する。
【００４７】
まず、図１に示す状態、つまり、水平部４ｂが鉄芯３３に吸引されていない状態では、接極子４は垂直部４ｃが継鉄３４側に移動した状態にある。この状態では、カード５は可動ばね６２のばね力により接極子４側に揺動した位置にあり、接点部６は固定接点６１ａと可動接点６２ａとが離間してオフ状態となっている。
【００４８】
そして、コイル３１に所定方向の電流を流して電磁石ブロック３を励磁させると、接極子４は、水平部４ｂが鉄芯３３に吸引されて屈曲部４ａを中心として図１の反時計回り方向に回動し、垂直部４ｃによってカード５を接点部６側に揺動させる。すると、カード５が可動ばね６２をばね力に抗して固定端子６１側に撓ませ、可動接点６２ａを固定接点６１ａに接触させて導通状態とし、接点部６をオン状態とする。
【００４９】
この状態で、コイル３１への通電を遮断すると、永久磁石３５の吸引力によって、接極子４が、その状態（図１の反時計回り方向に回動した状態）で保持され、接点部６のオン状態が維持される。
【００５０】
次に、コイル３１に所定方向とは反対方向の電流を流して電磁石ブロック３を励磁させると、接極子４は折曲部４ａを中心に図１の時計回り方向に回動し、垂直部４ｃが継鉄３４側に移動する。これにより、カード５は可動ばね６２のばね力によって接極子４側に揺動して接点部６をオフ状態とする。
【００５１】
この状態で、コイル３１への通電を遮断すると、永久磁石３５の吸引力によって、接極子４が、その状態（図１に示す状態）で保持され、接点部６のオフ状態が維持される。
【００５２】
以上説明したように、本実施形態では、コイル端子３１ａに屈曲部３１ｂを形成し、コイルボビン３２の挿通孔（コイル端子取付部）３２ａに屈曲部３１ｂを受け入れる受入部３２ｂを形成している。そのため、挿通孔（コイル端子取付部）３２ａの受入部３２ｂがコイル端子３１ａの屈曲部３１ｂを受け入れるようにコイル端子３１ａを取り付けることが可能となる。このように、受入部３２ｂがコイル端子３１ａの屈曲部３１ｂを受け入れた状態でコイル端子３１ａを挿通孔（コイル端子取付部）３２ａに取り付けるようにすれば、コイル端子３１ａがコイルボビン３２に対して相対的に回転してしまうのを抑制することができる。
【００５３】
すなわち、電磁リレー１の取付時や作動時等に、コイルブロック３０が振動したとしても、コイル端子３１ａのコイルボビン３２に対する相対回転が抑制されるため、コイル端子３１ａの圧入強度が低下してしまうのを抑制することができる。
【００５４】
また、コイル端子３１ａのコイルボビン３２に対する相対回転が抑制されることで、コイル端子３１ａがコイルボビン３２から抜け出てしまうのを抑制することができる。さらに、コイル端子３１ａのコイルボビン３２に対する相対回転を抑制することで、コイル端子３１ａに絡げたコイル３１が緩んでしまうのを抑制することができるという利点もある。
【００５５】
また、本実施形態によれば、屈曲部３１ｂを受け入れた状態で隙間Ｓが形成されるように、受入部３２ｂを形成している。そのため、隙間Ｓに接着剤８０を導入することが可能となる。すなわち、コイル端子３１ａをコイルボビン３２により強固に固定することが可能となる。その結果、コイル端子３１ａがコイルボビン３２から抜け出てしまうのをより確実に抑制することができるようになる。
【００５６】
また、上述したコイルブロック３０を備える電磁リレー１を用いることで、電磁リレー１としての機能が低下してしまうのを抑制することができるようになる。
【００５７】
以上、本発明の好適な実施形態について説明したが、本発明は上記実施形態には限定されず、種々の変形が可能である。
【００５８】
例えば、上記実施形態では、電磁リレーとしていわゆるラッチタイプのものを例示したが、接極子を、電磁石ブロックの励磁、非励磁によって、垂直部が継鉄から離れる方向と近づく方向とに往復移動するようにしてもよい。
【００５９】
すなわち、ヒンジばねにより接極子の水平部を鉄芯から離れる方向に付勢させ、電磁石ブロックを消磁した際に、ヒンジばねによって、接極子の垂直部が継鉄に近づく方向に移動するように電磁リレーを構成してもよい。
【００６０】
また、電磁石ブロックや接極子、その他細部のスペック（形状、大きさ、レイアウト等）も適宜変更することが可能である。
【符号の説明】
【００６１】
１  電磁リレー
３０  コイルブロック
３１  コイル
３１ａ  コイル端子
３１ｂ  屈曲部
３２  コイルボビン
３２ａ  挿通孔（コイル端子取付部）
３２ｂ  受入部
Ｓ  隙間
【図１】
2014130689.tif 000003
【図２】
2014130689.tif 000004
【図３】
2014130689.tif 000005
【図４】
2014130689.tif 000006
【図５】
2014130689.tif 000007